(57)【要約】【課題】プライミング液を蓄えたパックの着脱することなく、プライミングを自動的に実行することが可能なプライミング方法を提供する。【解決手段】血液を浄化するろ過器と、ろ過器の血液排出口に接続される返血ラインとを有する血液浄化回路に対して血液浄化制御装置が実行するプライミング方法であって、返血ラインを閉じる第１ステップ（Ｓ６の返血バルブを閉める）と、返血ラインを閉じた位置とろ過器との間の返血ラインにプライミング液を送り込む第２ステップ（Ｓ４の補液ポンプ稼動）とを含む。【選択図】図４
2008246081.tif 000002
【特許請求の範囲】
【請求項１】
血液を浄化するろ過器と、前記ろ過器の血液排出口に接続される返血ラインとを有する血液浄化回路に対して血液浄化制御装置が実行するプライミング方法であって、
前記返血ラインに設けた返血バルブを閉じる第１ステップと、
前記返血バルブと前記ろ過器との間の前記返血ラインにプライミング液を送り込む第２ステップとを含む
ことを特徴とするプライミング方法。
【請求項２】
前記血液浄化回路は、さらに、前記ろ過器の血液流入口に接続される脱血ラインを有し、
さらに、前記ろ過器に送り込まれたプライミング液を前記脱血ラインに流出させる第３ステップを含む
ことを特徴とする請求項１に記載のプライミング方法。
【請求項３】
前記第２ステップでは、前記第３ステップにおいて前記プライミング液を流出する流量より大きい流量でプライミング液を送り込む
ことを特徴とする請求項２に記載のプライミング方法。
【請求項４】
さらに、前記返血ラインを開く第４ステップを含み、
前記第１ステップは、前記第２ステップおよび前記第４ステップの後に実行される
ことを特徴とする請求項１から請求項３までのいずれか１項に記載のプライミング方法。
【請求項５】
前記血液浄化回路は、さらに、途中にチャンバを有し、前記返血ラインおよび前記脱血ラインとを連結して、前記ろ過器、前記脱血ラインおよび前記返血ラインを環状にする補助回路を有し、
さらに、前記血液浄化回路のプライミングが完了した後に、前記返血バルブを開き、前記プライミング液を流通させることにより、環状である回路にプライミング液を循環させる第５ステップを含む
ことを特徴とする請求項１から請求項４までのいずれか１項に記載のプライミング方法。
【請求項６】
さらに、前記ろ過器の透析液流入口からプライミング液を流入する第６ステップを含む
ことを特徴とする請求項１から請求項５までのいずれか１項に記載のプライミング方法。
【請求項７】
さらに、前記第６ステップにおいて前記ろ過器の透析回路部分にプライミング液が充填された後に、前記ろ過器の透析液排出口からプライミング液を流出させる第７ステップを含む
ことを特徴とする請求項６に記載のプライミング方法。
【請求項８】
前記血液浄化回路は、さらに、前記ろ過器の透析液排出口から流出したプライミング液が送り込まれる容器と、前記ろ過器の透析液排出口と前記容器とを接続する透析液排出ラインと、前記容器に蓄えられたプライミング液を廃棄する廃棄ラインとを備え、
さらに、前記ろ過器の透析液排出口から流出したプライミング液を前記容器に送り込む第８ステップと、
前記第８ステップの後に、前記廃棄ラインを介して前記容器に送り込まれたプライミング液の一部を廃棄し、前記容器のプライミング液の残量を調整する第９ステップとを含む
ことを特徴とする請求項７に記載のプライミング方法。
【発明の詳細な説明】
【技術分野】
【０００１】
血液を浄化するろ過器を有する血液浄化回路内の液体の流れを制御する血液浄化制御装置により、血液浄化回路を自動的にプライミングするプライミング方法に関する。
【背景技術】
【０００２】
疾病などにより腎臓の機能が低下した患者には、血液透析などの血液の浄化が医療関係者により施術される。血液浄化制御装置は、安全かつ効率的に患者の血液を浄化するように、血液浄化回路を流れる液体の流れを制御する。血液浄化回路は、患者の血液が流れる血液回路と、透析液や補液が流れる給液回路とを備え、血液浄化制御装置に取り付けられる。
【０００３】
患者の血液を浄化する前の準備として、プライミングが行われる。プライミングとは、血液浄化回路内の洗浄および空気の除去のために、回路内に生理食塩水のようなプライミング液を充填させ、流通させることである。
【０００４】
ここで、回路とは、血液や透析液、補液などが流れる流路であり、ろ過器、チャンバ、針、管などより形成される。ろ過器は、拡散や限外ろ過などの原理による、血液および透析液の間の物質交換により、血液を浄化する器具である。チャンバは、ラインを通る液体中の気泡をトラップする器具である。針は、施術時に回路に取り付けられ、体内から血液を取り出し、また、体内に返血するため、患者のシャントなどの取り出し箇所および返血箇所のそれぞれに穿刺される器具である。管は、これらの器具に設けられた接続口に取り付けられ、器具と器具とを接続する。
【０００５】
チャンバは、施術時に血液を流すべき方向（以下、「順方向」という。）に流した際に、血液中の気泡をトラップするのが本来の機能である。そのため、内部をプライミング液で充填するためには、チャンバの天地を血液浄化時とは逆転させた状態でプライミング液を順方向に流すか、チャンバの天地を血液浄化時の状態のままでプライミング液を逆方向に流す必要がある。
【０００６】
また、ろ過器は、プライミング液を順方向に流して、その内部をプライミング液で充填させることは、その構造上、困難である。そのため、ろ過器の内部をプライミング液で充填するためには、チャンバと同様に、ろ過器の天地を血液浄化時とは逆転させた状態でプライミング液を順方向に流すか、ろ過器の天地は血液浄化時の状態のままでプライミング液を逆方向に流す必要がある。
【０００７】
従来、プライミング時に、プライミング液を蓄えたパックを返血口に接続し、施術時とは逆方向に圧力差が生じるようにポンプを稼動させることによって、回路内のプライミング液を施術時とは逆方向に循環させる血液浄化制御装置およびそのプライミング処理方法が提案されている（例えば、特許文献１参照）。
【０００８】
また、プライミング操作は回路やろ過器（血液浄化器）から気泡や異物を除去するために実施されるので、充分な量のプライミング液で洗浄することが必要であるが、一方経済的な理由や、収容容器の取換え操作を排除するとの理由で、洗浄液量を可能な範囲内で低減することも要求される。そのため、回路内やろ過器を１回しか通過していない洗浄液をそのまま捨てずに、再循環させた後で排液するいわゆるすすぎ方式の洗浄操作も広く行われている。（例えば、特許文献２参照）。
【特許文献１】特開２００６−１７５１０３号公報
【特許文献２】実公平５−１９０７６号公報
【発明の開示】
【発明が解決しようとする課題】
【０００９】
しかしながら、従来のプライミング方法は、プライミング時にプライミング液を蓄えたパックを返血口に接続し、プライミングが完了時にそれを取り外す必要があるという問題がある。
【００１０】
従来は、プライミング液を、血液回路の返血口から流し込み、脱血口から排出する。そのため、操作者は、プライミング時に、プライミング液を蓄えたパックを返血口に接続し、プライミングが完了すると、返血口に返血用の器具を取り付けるため、プライミング液を蓄えたパックを取り外す。このように、プライミング液を蓄えたパックを接続し、後に取り外すことは、操作者に手間である。また、このように、回路を接続したり、外したりする手順はできるだけ少ない方が、衛生上も望ましい。
【００１１】
また上述のように、パックの取換えの手間を省くためにも、またコストの低減の点からもプライミング操作を完遂するための液量は少ない方が望ましい。
【００１２】
また、従来の再循環方式の洗浄操作で重要になってくるのが、血液回路内に送液する補液ポンプの送液量と血液回路内で送液する血液ポンプの送液量である。プライミング液を回路外から血液回路内に送液する補液ポンプの送液量より、血液回路内で血液やプライミング液等の液を送液する血液ポンプの送液量の方が多くなると、ろ過器を流れるプライミング液に過剰な陰圧がかかる場合がある。そのため、従来は、外部からろ過器内に空気を取り込み、プライミング後のろ過器内に空気が残ってしまうという問題がある。
【００１３】
プライミング後に回路内に空気が残留していると、回路内の血液が凝固し、血液の浄化ができなくなる危険がある。また、残留した空気が回路を通して患者の体内に入り込むと、患者の生命に関わる。
【００１４】
逆に、血液ポンプの流量よりも、補液ポンプの流量の方が多くなると、ろ過器に過剰な圧力がかかり、ろ過器を損傷するおそれがある。その結果、安全かつ十分に患者の血液を浄化することができない。
【００１５】
ポンプによりかけられる圧力には一定の誤差がある。血液浄化制御装置に一般的に利用されるポンプでは、この誤差により、ろ過器にかける陽圧と陰圧とを一定にバランスするように制御することは、実際には困難である。すなわち、従来の技術では、安全な施術が実現できるようなプライミングができないという問題がある。
【００１６】
本発明は、上記の問題を解決するためになされたもので、プライミング液を蓄えたパックを施術時に着脱することなく、プライミングを自動的に実行することが可能なプライミング方法の提供を目的とする。
【００１７】
「施術時」とは患者の血液浄化を開始してからそれを終了するまでのことをいう。
【００１８】
「ろ過器」とは、ダイアライザとも呼ばれ、血液を浄化する器具のことである。一般的なろ過器は、円筒の内部に多数の中空糸の束を貫通させ、その中空糸の内部に血液を導通させ、円筒内を流れる透析液と、中空糸膜を介して間接的に接触させることにより、血液を浄化する。拡散、限外ろ過および浸透圧の原理によって、尿素や尿酸、クレアチンなどの血液中の老廃物は透析液中に排出され、また、透析液中の電解質などは血液中に取り込まれる。
【００１９】
「チャンバ」とは、内部に流入する液体中に含まれる気泡や異物を取り除き、気泡を取り除いた液体を流出させる気液分離器である。血液浄化回路のチャンバは、一般に、気泡が液体中を上昇する性質を利用して、液体中の気泡をチャンバの流入口側に集めることで、チャンバの内部を流れる液体中の気泡をトラップする。「チャンバ」は、さらに、メッシュを内蔵することにより、異物を分離する機能を有するものもある。
【００２０】
「給液」とは、「プライミング液」と、「補液」と、「透析液」との総称である。「給液」には、一般に、生理食塩水などが用いられる。
【００２１】
「プライミング液」とは、血液浄化制御装置のプライミングに利用する液体のことをいう。「補液」とは、ろ過器を通過することにより失われた血液の水分を補給するため、返血中に混ぜられる液体のことをいう。「透析液」とは、ろ過器内で血液と物質交換をする液体のことをいう。
【００２２】
「ろ液」とは、血液を浄化した後の透析液のことをいう。
【００２３】
「ポンプ」とは、回路内の液体を流動させるための圧力をかける機器である。
【００２４】
「バルブ」とは、その取付位置における、回路内の液体の流量の調整および流路の閉鎖をする機器である。「バルブを閉める」とは、その取付位置における回路内の液体の流路を閉鎖することをいい、「バルブを開ける」とは、その取付位置における回路内の液体を流すことをいう。例えば、回路が一定の弾性のある管である場合には、管を外部から挟み込む器具を取り付けることにより、通常は開けられている管を外部から挟み込むことによって、流路を閉じることが実現できる。
【００２５】
「回路」とは、液体が流れる流路のことである。具体的には、回路は、血液やプライミング液、補液、透析液が流れる流路であり、ろ過器、チャンバ、分岐管、管などの組み合わせにより実現される。また、回路は、施術時に内部を流れる液体によって、「血液回路」と「給液回路」とに分かれ、血液回路には血液が流れ、給液回路には補液および透析液が流れる。「ライン」とは、回路を構成する一部をいう。
【００２６】
「順方向」とは、施術時に回路内を液体が流れる方向のことをいう。また、「逆方向」とは、順方向と逆の方向をいう。施術時には取り付けられていない回路や液体が流されないラインの「順方向」については、個別に定義する。
【課題を解決するための手段】
【００２７】
上記目的を達成するために、血液を浄化するろ過器と、前記ろ過器の血液排出口に接続される返血ラインとを有する血液浄化回路に対して血液浄化制御装置が実行するプライミング方法であって、前記返血ラインに設けた返血バルブを閉じる第１ステップと、前記返血バルブと前記ろ過器との間の前記返血ラインにプライミング液を送り込む第２ステップとを含む。
【００２８】
このように、返血バルブを閉じるステップと、その閉じた位置とろ過器との間の返血ラインにプライミング液を送り込むステップとを含む。これにより、プライミング液は、ろ過器の血液排出口からろ過器の内部に送り込まれる。すなわち、プライミング液を蓄えたパックを着脱することなく、ろ過器には、施術時の血液の流れとは逆の方向にプライミング液を流すことができる。したがって、プライミング液を蓄えたパックを着脱することなく、プライミングを自動的に実行することが可能になる。
【００２９】
好ましくは、前記血液浄化回路は、さらに、前記ろ過器の血液流入口に接続される脱血ラインを有し、さらに、前記ろ過器に送り込まれたプライミング液を前記脱血ラインに流入させる第３ステップを含む。
【００３０】
このように、ろ過器からプライミング液を吸い出す。これにより、ろ過器には、プライミング液を送り込む圧力（陽圧）と、吸い出す圧力（陰圧）とをかけることができる。このように、ろ過器に陽圧と陰圧とをかけることにより、ろ過器内のプライミング液の流れを円滑にすることが可能となる。
【００３１】
さらに好ましくは、前記第２ステップでは、前記第３ステップにおいて前記プライミング液を流出する流量より大きい流量でプライミング液を送り込む。
【００３２】
ろ過器にかかる陰圧がかかると、中空糸から空気が出てくるため、プライミングの目的である血液回路内の空気の除去ができなくなる。陽圧の大きさ方が、陰圧の大きさより大きくなるように制御されることによって、ろ過器に陽圧をかけることができる。したがって、プライミングによる空気除去を確実にすることが可能になる。
【００３３】
さらに好ましくは、さらに、前記返血ラインを開く第４ステップを含み、前記第１ステップは、前記第２ステップおよび前記第４ステップの後に実行される。
【００３４】
このように、返血ラインを開いて、返血ラインにプライミング液を送り込んだ後に、ろ過器のプライミングを行う。これにより、返血バルブを開いた際に、ろ過器などに充填されたプライミング液が返血ラインを介して抜け出ることを防止できる。したがって、新たにバルブを設けるなど血液浄化制御装置やそれによる制御を複雑にすることなく、簡易な制御で返血ラインおよびろ過器のプライミングをすることが可能になる。
【００３５】
さらに好ましくは、前記血液浄化回路は、さらに、途中にチャンバを有し、前記返血ラインおよび前記脱血ラインとを連結して、前記ろ過器、前記脱血ラインおよび前記返血ラインを環状にする補助回路を有し、さらに、前記血液浄化回路のプライミングが完了した後に、前記返血バルブを開き、前記プライミング液を流通させることにより、環状である回路にプライミング液を循環させる第５ステップを含む。
【００３６】
このように、チャンバを有する補助回路を有する血液浄化回路のプライミングが終了した後に、リサーキュレーションを行う。これにより、プライミングによって除去し切れなかった血液浄化回路内の空気を、補助回路のチャンバにトラップさせることができる。そして、補助回路は、施術には不要であるため、施術時に取り外して廃棄できる。そのため、プライミング後に残った空気を、簡易な操作で取り除くことが可能になる。
【００３７】
さらに好ましくは、さらに、前記ろ過器の透析液脱血口からプライミング液を送り込む第６ステップを含む。
【００３８】
このように、透析液流入口からろ過器にプライミング液を流入する。これにより、透析液をろ過器に流し込むラインおよびとろ過器の給液回路部分をプライミングすることができる。
【００３９】
さらに好ましくは、さらに、前記第６ステップにおいて前記ろ過器の透析回路部分にプライミング液が充填された後に、前記ろ過器の透析液排出口からプライミング液を流出させる第７ステップを含む。
【００４０】
このように、ろ過器の給液回路部分にプライミング液が充填された後に、ろ過器の透析液排出口からプライミング液を吸い出す。これにより、ろ過器の給液回路部分をプライミングすることができる。
【００４１】
このように、透析液ラインからろ過器にプライミング液を送り込み、ろ過器からろ液ラインにプライミング液を吸い出すという一連の手順で、給液回路のすべてのプライミングが可能になる。
【００４２】
さらに好ましくは、前記血液浄化回路は、さらに、前記ろ過器の透析液排出口から流出したプライミング液が送り込まれる容器と、前記ろ過器の透析液排出口と前記容器とを接続する透析液排出ラインと、前記容器に蓄えられたプライミング液を廃棄する廃棄ラインとを備え、さらに、前記ろ過器の透析液排出口から流出したプライミング液を前記容器に送り込む第８ステップと、前記第８ステップの後に、前記廃棄ラインを介して前記容器に送り込まれたプライミング液の一部を廃棄し、前記容器のプライミング液の残量を調整する第９ステップとを含む。
【００４３】
このように、廃棄バルブを制御することによって、透析液排出口から排出されたプライミング液を蓄える容器に、プライミング液を蓄積し、蓄積されたプライミング液の一部を廃棄する。これにより、施術時に容器に蓄えられるろ過後の透析液（ろ液）の量によって、透析の進行状況を監視し、制御する場合に、予め容器に蓄えられるプライミング液の量を調整することができる。そのため、予め一定量のプライミング液が蓄積されることになり、容器にプライミング液がない状態から施術を開始する場合に比べて、より正確に施術の進行状況を検知することが可能となる。
【発明の効果】
【００４４】
本発明に係るプライミング方法によると、プライミング液が蓄えられている容器を施術時に取り外したり、取り付け位置を変更するなどの手間をかけることなく、回路内の洗浄と空気の除去を確実にするプライミングの自動実行が可能になる。したがって、手軽なプライミング操作によって、確実なプライミングをすることが可能になる。
【発明を実施するための最良の形態】
【００４５】
本発明に係るプライミング方法を実行する血液浄化制御装置には、血液浄化回路が取り付けられる。血液浄化制御装置は、センサなどから得られる情報に基づき、予め定められた規則に従って、ポンプやバルブを制御する。患者の血液および給液は、血液浄化制御装置の制御に従って、血液浄化回路の中を流れる。これにより、血液は浄化される。
【００４６】
まず、血液浄化制御装置の構成について、図を参照して説明する。
【００４７】
図１は、本発明の一実施の形態に係る血液浄化制御装置の構成を示すブロック図である。
【００４８】
本実施の形態に係る血液浄化制御装置１０は、プライミングを自動的に実行するための制御をする装置である。また、血液浄化制御装置１０は、複数の動作方法（動作モード）による患者の血液浄化を制御する装置でもある。本実施の形態では、動作モードとして、自動プライミングモードと、ＣＨＤ（Ｃｏｎｔｉｎｕｏｕｓ  Ｈｅｍｏｄｉａｌｙｓｉｓ）モードと、ＣＨＤＦ（Ｃｏｎｔｉｎｕｏｕｓ  Ｈｅｍｏｄｉａｆｉｌｔｒａｔｉｏｎ）モードと、ＣＨＦ（Ｃｏｎｔｉｎｕｏｕｓ  Ｈｅｍｏｆｉｌｔｒａｔｉｏｎ）モードと、ＥＣＵＭ（Ｅｘｔｒａ  Ｃｏｒｐｏｒｅａｌ  Ｕｌｔｒａｆｉｌｔｒａｔｉｏｎ  Ｍｅｔｈｏｄ）モードとを備えるとする。
【００４９】
血液浄化制御装置１０は、入力部１２と、表示部１４と、モード受付部１６と、血液ポンプ２０と、透析ポンプ２２と、ろ液ポンプ２４と、補液ポンプ２６と、給液バルブ３０と、ろ液バルブ３２と、返血バルブ３４と、プライミング液排出バルブ３６と、ろ液圧センサ４０と、脱血圧センサ４２と、流入圧センサ４４と、排出圧センサ４６と、制御方法記憶部４８と、制御部４９とを備える。
【００５０】
入力部１２は、血液浄化制御装置１０の操作者が、血液浄化制御装置の動作モードを入力する。
【００５１】
表示部１４は、操作者に情報を提示する部位であり、例えば、モニタ画面などである。
【００５２】
モード受付部１６は、入力部１２に入力された動作モードを示す情報を受け付ける。
【００５３】
血液ポンプ２０は、患者から血液を取り出す圧力をかけるポンプである。血液ポンプ２０は、施術時に回路内の液体を流動させる方向（以下、このようなポンプの加圧方向を「順方向」という。）だけでなく、それとは逆の方向（以下、このようなポンプの加圧方向を「逆方向」という。）に圧力をかけることもできる。
【００５４】
透析ポンプ２２は、透析液を流動させるための圧力をかけるポンプである。
【００５５】
ろ液ポンプ２４は、ろ液を流動させるための圧力をかけるポンプである。
【００５６】
補液ポンプ２６は、補液を流動させるための圧力をかけるポンプである。
【００５７】
給液バルブ３０は、給液の供給量の調整および供給の停止をするバルブである。
【００５８】
ろ液バルブ３２は、ろ液の排出量の調整および排出の停止をするバルブである。
【００５９】
返血バルブ３４は、ろ過器から排出された血液の患者への返血量の調整および返血の停止をするバルブである。
【００６０】
プライミング液排出バルブ３６は、補液を急速に補う必要が生じた場合に利用される急速補液の流量の調整および急速補液の停止をするバルブである。
【００６１】
ろ液圧センサ４０は、ろ液が流れるラインの圧力を測定するセンサである。
【００６２】
脱血圧センサ４２と流入圧センサ４４とは、血液ポンプ２０の働きによって患者から取り出された、浄化前の血液が流れる圧力を測定するセンサである。脱血圧センサ４２は血液ポンプ２０より患者側にあるラインを流れる血液の圧力を測定し、流入圧センサ４４は血液ポンプ２０よりろ過器側にあるラインを流れる血液の圧力を測定する。
【００６３】
排出圧センサ４６は、ろ過器５６から排出される血液の圧力を測定するセンサである。
【００６４】
制御方法記憶部４８は、血液浄化制御装置１０が提供する動作モードの制御方法に関する情報を記憶している。本実施の形態の制御方法記憶部４８は、自動プライミングモード情報４８ａと、ＣＨＤモード情報４８ｂと、ＣＨＤＦモード４８ｃ情報と、ＣＨＦモード情報４８ｄと、ＥＣＵＭモード情報４８ｅとを記憶している記憶媒体である。
【００６５】
自動プライミングモード情報４８ａは、血液浄化制御装置１０が自動的にプライミングする際に、ポンプやバルブを制御する方法を含む情報である。
【００６６】
ＣＨＤモード情報４８ｂと、ＣＨＤＦモード４８ｃ情報と、ＣＨＦモード情報４８ｄと、ＥＣＵＭモード情報４８ｅとは、各血液浄化方法により血液を浄化するために、ポンプやバルブを制御する方法を含む情報である。ＣＨＤモード情報４８ｂは持続緩除式血液透析（ＣＨＤ）を施術する場合の制御方法を含む情報であり、ＣＨＤＦモード４８ｃ情報は持続緩除式透析ろ過（ＣＨＤＦ）を施術する場合の制御方法を含む情報であり、ＣＨＦモード情報４８ｄは持続緩除式血液ろ過（ＣＨＦ）を施術する場合の制御方法を含む情報であり、ＥＣＵＭモード情報４８ｅは限外ろ過（ＥＣＵＭ）を施術する場合の制御方法を含む情報である。
【００６７】
制御部４９は、モード受付部１６が受け付けた動作モードに対応する情報を制御方法記憶部４８から読み出し、読み出した情報に基づいて、圧力センサや図示しない各センサから取得した情報を参照し、各ポンプおよび各バルブを制御する。
【００６８】
次に、このような複数の血液浄化方法を実行できる血液浄化制御装置１０に取り付けられる回路の構成について、図を参照して説明する。
【００６９】
図２は、本発明の一実施の形態に係るプライミング時の血液浄化回路の構成と、血液浄化制御装置のポンプ、バルブおよび圧力センサの位置関係を示す図である。
【００７０】
プライミング時の血液浄化回路は、第１給液パック５０と、第２給液パック５２と、ろ液パック５４と、ろ過器５６と、返血チャンバ５８と、リサーキュレーション・チャンバ６０と、給液分岐管６２と、急速補液分岐管６４と、抗凝固分岐管６６と、脱血側継ぎ手６８ａと、脱血側継ぎ手６８ｂと、返血側継ぎ手７０ａと、返血側継ぎ手７０ｂと、第１給液ライン７２と、第２給液ライン７４と、透析液ライン７６と、ろ液ライン７８と、廃液ライン８０と、補液ライン８２と、第１脱血ライン８４と、プライミング液排出（急速補液）ライン８６と、第２脱血ライン８８と、第３脱血ライン８９と、抗凝固剤（バイパス）ライン９０と、第１返血ライン９２と、第２返血ライン９４と、第１循環ライン９６と、第２循環ライン９８とを備える。
【００７１】
本図では、血液浄化制御装置１０が備える各ポンプ、各バルブ、および各センサの血液浄化回路での位置関係を説明するため、血液ポンプ２０と、透析ポンプ２２と、ろ液ポンプ２４と、補液ポンプ２６と、給液バルブ３０と、ろ液バルブ３２と、返血バルブ３４と、プライミング液排出バルブ３６と、ろ液圧センサ４０と、脱血圧センサ４２と、流入圧センサ４４と、排出圧センサ４６とを併せて示している。これら血液浄化制御装置１０が備える各部については、図１を参照して説明したため、ここでは説明を省略する。
【００７２】
第１給液パック５０は、給液が最初に蓄えられている容器である。
【００７３】
第２給液パック５２は、第１給液パック５０から供給された給液が蓄えられる容器である。
【００７４】
ろ液パック５４は、血液浄化後の透析液であるろ液が蓄えられる容器である。ろ液パック５４は、請求項に記載の「容器」に相当する。
【００７５】
本実施の形態では、プライミング液および透析液として利用される液体は、補液として利用される液体と同じであるとする。第１給液パック５０から供給された給液は、第２給液パック５２に一旦蓄えられた後に、他の血液浄化回路に供給される。そして、血液浄化中には、第２給液パック５２に予め蓄えられている給液が補液および透析液として利用され、第１給液パック５０から第２給液パック５２に給液は補給されない。また、血液浄化後のろ液は、ろ液パック５４に蓄えられる。
【００７６】
これにより、例えば、施術中の第２給液パック５２およびろ液パック５４の正確な重量を計測することができる。制御部４９がこれらの計測結果を取得することにより、血液浄化の進行状況や補液として患者の体内に取り込まれた量に基づく自動制御を実現することが可能となる。
【００７７】
ろ過器５６は、血液を浄化する器具である。本図に示すろ過器５６では、円筒の上部に設けられている血液流入口から血液が流入し、円筒の下部に設けられている血液排出口から血液が排出される。また、円筒横の下部に設けられている透析液流入口から透析液が流入し、円筒横の上部に設けられている透析液排出口から血液を浄化した後の透析液、すなわち、ろ液が排出される。
【００７８】
本図では、ろ過器５６中の点線の内部は血液の流路である中空糸の内部を、点線の外側は透析液の流路である中空糸の外部を、それぞれ模式的に示す。ろ過器５６の点線の内部は血液回路の一部であり、血液流入口から血液排出口の方向が順方向となる。また、ろ過器５６の点線の外部は給液回路の一部であり、透析液流入口から透析液排出口の方向が順方向となる。
【００７９】
返血チャンバ５８は、ろ過器５６側から排出される血液中の気泡をトラップするとともに、返血に補液が混入される部位である。
【００８０】
リサーキュレーション・チャンバ６０は、リサーキュレーション時に、プライミング後に血液回路中に残存している気泡をトラップするチャンバである。ここで、「リサーキュレーション」とは、血液浄化回路へのプライミング液の充填が完了してから、患者に施術するまでの間に、血液回路中にプライミング液を循環させることをいう。
【００８１】
これらのチャンバは、構造上、順方向に流れる液体中の気泡はトラップするが、逆方向ではトラップできない。したがって、逆方向に流体を流すことにより、チャンバをプライミングすることができる。
【００８２】
給液分岐管６２は、給液を、透析液と補液とに分離する分岐管である。
【００８３】
急速補液分岐管６４は、患者から取り出した血液に、急速に補液などを混入させる分岐管である。
【００８４】
抗凝固分岐管６６は、患者から取り出した血液に抗凝固剤を混入させる分岐管である。
【００８５】
脱血側継ぎ手６８ａと脱血側継ぎ手６８ｂとは、着脱可能な継ぎ手部材である。プライミング時には、本図に示すように、脱血側継ぎ手６８ａと脱血側継ぎ手６８ｂとが繋がれる。
【００８６】
施術時には、脱血側継ぎ手６８ａと脱血側継ぎ手６８ｂとは取り外される。そして、施術時の脱血側継ぎ手６８ａには、脱血側継ぎ手６８ｂに代えて、患者から血液を取り出すための器具が取り付けられる。脱血側継ぎ手６８ａに取り付けられる器具の一例として、患者に穿刺される針がある。患者の血液は、針のような器具を通して、血液浄化回路に取り込まれる。
【００８７】
返血側継ぎ手７０ａと返血側継ぎ手７０ｂとは、着脱可能な継ぎ手部材である。プライミング時には、本図に示すように、返血側継ぎ手７０ａと返血側継ぎ手７０ｂとが繋がれる。
【００８８】
施術時には、返血側継ぎ手７０ａと返血側継ぎ手７０ｂとは、取り外される。そして、施術時の返血側継ぎ手７０ａには、返血側継ぎ手７０ｂに代えて、患者の体内に血液を戻すための器具が取り付けられる。返血側継ぎ手７０ａに取り付けられる器具の一例として、患者に穿刺される針がある。浄化された血液は、その針を通して、患者の体内に戻される。
【００８９】
このように、脱血側継ぎ手６８ａと返血側継ぎ手７０ａとには、施術時とプライミング時とで取り付けられる器具が異なる。そのため、脱血側継ぎ手６８ａは、脱血側継ぎ手６８ｂと、患者から血液を取り出すための器具とをともに着脱可能な形状をしている。また、返血側継ぎ手７０ｂは、返血側継ぎ手７０ａと、患者の体内に血液を戻すための器具とをともに着脱可能な形状をしている。
【００９０】
このような形状をしている脱血側継ぎ手６８ａと返血側継ぎ手７０ａとを備えることにより、血液浄化制御装置および血液浄化回路の操作者は、プライミング後のリサーキュレーションから、施術へ容易に移行することが可能になる。
【００９１】
第１給液ライン７２は、施術中に、第１給液パック５０から第２給液パック５２の方向に、給液を流すラインである。また本図に示すように、第１給液ライン７２は、その途中に給液バルブ３０が取り付けられる。
【００９２】
第２給液ライン７４は、施術中に、第２給液パック５２から給液分岐管６２の方向に給液を流すラインである。
【００９３】
透析液ライン７６は、施術中に、給液分岐管６２からろ過器５６の透析液流入口の方向に、透析液を流すラインである。また本図に示すように、透析液ライン７６は、その途中に透析ポンプ２２が取り付けられる。
【００９４】
ろ液ライン７８は、ろ過器５６の透析液排出口からろ液パック５４の方向に、ろ液を流すラインである。また本図に示すように、ろ液ライン７８は、その途中にろ液ポンプ２４が取り付けられる。
【００９５】
廃液ライン８０は、施術によりろ液パック５４に蓄えられたろ液を廃棄するラインである。また本図に示すように、廃液ライン８０は、その途中にろ液バルブ３２が取り付けられる。
【００９６】
ろ液バルブ３２は、計量時に、閉められており、廃液ライン８０にろ液は流れない。計量後に、ろ液バルブ３２が開けられ、ろ液パック５４から開放端の方向に、ろ液が流れる。このろ液が流れる方向を、廃液ライン８０の「順方向」とする。
【００９７】
補液ライン８２は、施術中に、給液分岐管６２から返血チャンバ５８の方向に、補液を流すラインである。また本図に示すように、補液ライン８２は、途中に補液ポンプ２６が取り付けられる。
【００９８】
第１脱血ライン８４は、施術中に、脱血側継ぎ手６８ａから抗凝固分岐管６６の方向に、浄化前の血液が流れるラインである。
【００９９】
プライミング液排出（急速補液）ライン８６は、施術中に、浄化中の血液に急速に補液を補う必要があるときに、その補液を流すラインである。すなわち、施術時には、急速補充用の補液パック（図示しない）と、急速補液分岐管６４とをつなぐラインである。補液パック（図示しない）から急速補液分岐管６４の方向に、補液が流れる。プライミング時には、プライミング液の廃棄ラインとなり、一端は急速補液分岐管６４に繋がれ、他端は開放されている。
【０１００】
また本図に示すように、プライミング液排出（急速補液）ライン８６は、途中にプライミング液排出バルブ３６が取り付けられる。
【０１０１】
第２脱血ライン８８は、施術中に、急速補液分岐管６４から抗凝固分岐管６６の方向に、浄化前の血液を流すラインである。また本図に示すように、第２脱血ライン８８は、途中に血液ポンプ２０が取り付けられる。
【０１０２】
第３脱血ライン８９は、施術中に、抗凝固分岐管６６からろ過器５６の血液流入口の方向に、浄化前の血液を流すラインである。
【０１０３】
抗凝固剤（バイパス）ライン９０は、プライミング時に、ろ過器５６に過剰な圧力がかかることを防止するように、ろ過器５６の血液流入口側と血液ポンプ２０とを連絡するラインと、脱血ラインとを短絡するラインである。
【０１０４】
ろ過器５６に流すプライミング液の流量は、ポンプの稼動により制御される。
【０１０５】
本実施の形態では、補液ポンプ２６がろ過器５６にプライミング液を送り込み、また、血液ポンプ２０もろ過器５６からプライミング液を流出するのを助ける。ポンプの稼働には、誤差やムラなどがある。そのため、補液ポンプ２６が送り込む圧力の大きさを、血液ポンプ２０が吸い出す圧力の大きさより大きくする。このようにポンプを制御することにより、ろ過器５６にプライミング液を滞りなく流すことができ、ろ過器５６のプライミングが可能になる。さらに、ろ過器５６には陽圧がかかるため、ろ過器５６に陰圧がかかることによって中空糸を介して血液回路内に空気を取り込むことを防止でき、確実なプライミングが可能になる。
【０１０６】
また、ポンプの稼働の誤差やムラのため、ろ過器５６には過剰な圧力がかかる場合がある。過剰な圧力は、ろ過器５６の中空糸の損傷を起こすおそれがある。そこで、プライミング時に、流路抵抗が大きいラインで血液回路を短絡させるバイパスにより、ろ過器５６に過剰な圧力がかかることを防止することができ、より確実なプライミングが可能になる。
【０１０７】
流路抵抗の大きいラインは、他のラインを形成する管よりも、その径が細い管により実現できる。また、施術時の抗凝固剤ラインも、一般に、他のラインを形成する管よりも細い。そのため、プライミング時に、リサーキュレーション・チャンバ６０の流出側に取り付けられる抗凝固剤（バイパス）ライン９０の一端に、施術時にはシリンジ・ポンプを取り付けるなどにより、バイパスラインを、抗凝固剤を流すラインに転用できる。
【０１０８】
したがって、血液浄化時に抗凝固剤を投入するための新たなラインを追加するなど、血液浄化回路をさらに複雑にすることなく、ろ過器５６のプライミングを効率的にすることが可能になる。
【０１０９】
第１返血ライン９２は、施術中に、ろ過器５６の血液排出口から返血チャンバ５８の流入口に、血液を流すラインである。
【０１１０】
第２返血ライン９４は、施術中に、返血チャンバ５８の排出口から返血側継ぎ手７０ａの方向に、血液を流すラインである。また本図に示すように、第２返血ライン９４は、途中に返血バルブ３４が取り付けられる。
【０１１１】
第１循環ライン９６は、プライミング時に、脱血側継ぎ手６８ｂからリサーキュレーション・チャンバ６０の流入口の方向に、プライミング液を流すラインである。血液浄化時には抜去される部位である。第１循環ライン９６については、脱血側継ぎ手６８ｂからリサーキュレーション・チャンバ６０の流入口の方向を、順方向とする。
【０１１２】
第２循環ライン９８は、プライミング時に、リサーキュレーション・チャンバ６０の排出口から返血側継ぎ手７０ｂの方向に、プライミング液を流すラインである。第１循環ライン９６は、血液浄化時には抜去される部位である。第２循環ライン９８については、リサーキュレーション・チャンバ６０の排出口から返血側継ぎ手７０ｂの方向を、順方向とする。
【０１１３】
これまでに説明した本実施の形態の血液浄化回路では、血液回路は、「脱血ライン」と、ろ過器５６の内側と、「返血ライン」と、プライミング液排出（急速補液）ライン８６と、抗凝固剤（バイパス）ライン９０とから構成される。
【０１１４】
「脱血ライン」は、脱血側継ぎ手６８ａと、第１脱血ライン８４と、急速補液分岐管６４と、第２脱血ライン８８と、抗凝固分岐管６６と、第３脱血ライン８９とから、構成される。
【０１１５】
「返血ライン」は、第１返血ライン９２と、返血チャンバ５８と、第２返血ライン９４と、返血側継ぎ手７０ａとから、構成される。
【０１１６】
また、給液回路は、第１給液パック５０と、第１給液ライン７２と、第２給液パック５２と、第２給液ライン７４と、補液ライン８２と、透析液ライン７６と、ろ過器５６の外側と、ろ液ライン７８と、ろ液パック５４と、廃液ライン８０とから、構成される。
【０１１７】
さらに、循環回路は、脱血側継ぎ手６８ｂと、第１循環ライン９６と、リサーキュレーション・チャンバ６０と、第２循環ライン９８と、返血側継ぎ手７０ｂとから、構成される。このような循環回路は、請求項に記載の「補助回路」に相当する。
【０１１８】
循環回路は、血液浄化時には抜去される回路である。そのため、循環回路を構成する各ラインについては、プライミング液が流れる方向を、順方向とする。
【０１１９】
また、本図に示す、廃液タンク１００と、廃液タンク１０２とは、プライミング時に、回路の開放端から流出するプライミング液を溜めるタンクである。
【０１２０】
以上が、本実施の形態に係る血液浄化回路の構成である。
【０１２１】
このように、複雑な回路をプライミングするには、その手順も複雑になる。そのため、マニュアル操作でプライミングすると、手間がかかるだけでなく、操作ミスの危険がある。自動プライミングモードを備えることによって、操作者の手間や操作ミスの危険を抑えることができ、安全な血液浄化のためのプライミングを確実に実行することが可能になる。
【０１２２】
このような、自動プライミングの手順について、図３から図１６までを参照して、説明する。
【０１２３】
図３は、本発明の一実施の形態に係るプライミング時の血液浄化回路の構成と、血液浄化制御装置１０のポンプ、バルブおよび圧力センサの位置関係を、簡略化して示す図である。本図の矢印は、各ラインの順方向を示す。
【０１２４】
本図では、図２に示した圧力センサを省略している。また、本図では、図２と対応する各部位について同一の番号を付している。そのため、各部位に関する、ここでの説明は省略する。また、リサーキュレーション・チャンバ６０は、本図では図を簡単にするため横向きに置かれているが、実際には、リサーキュレーション・チャンバ６０の流入口側（第１循環ライン９６に接続されている側）が鉛直上方となるように、血液浄化制御装置１０に取り付けられる。
【０１２５】
図４は、本実施の形態において、自動プライミングモードが選択された場合に、血液浄化制御装置１０が実行する自動プライミングの手順を示す図である。
【０１２６】
本図は、操作者によって入力部１２に入力された自動プライミングモードの選択を、血液浄化制御装置１０のモード受付部１６が受け付けた場合に、制御方法記憶部４８から自動プライミングモード情報４８ａを読み出し、読み出した自動プライミングモード情報４８ａを実行する制御部４９が、血液浄化制御装置１０が備える各ポンプおよび各バルブを制御する手順を示す。
【０１２７】
また、図５は、本実施の形態のプライミング時の各手順での回路の状態をまとめて示す図である。さらに、図６から図１５までは、プライミング時の各手順での回路の状態を示す回路構成図である。
【０１２８】
以下、図４に示す各手順について説明するとともに、図５から図１５までを参照して、各手順での対応する回路の状態を説明する。
【０１２９】
初期状態において、血液浄化制御装置１０には、図２および図３に示すような状態で血液浄化回路が取り付けられており、プライミング液は第１給液パック５０のみに蓄えられていることとする。また、図５の初期状態に示すように、血液浄化制御装置１０のすべてのポンプの稼動が停止し、すべてのバルブが閉塞していることとする。
【０１３０】
制御部４９は、給液バルブ３０と、返血バルブ３４を開く（Ｓ１）。これにより、血液浄化回路の状態は、図５に示す状態１となり、第１給液ライン７２と、第２給液パック５２とにプライミング液（以下、プライミングの手順の説明では、単に「液体」という。）が充填される。具体的な血液浄化回路の状態は、図６に示す状態になる。このように、返血バルブ３４を開くステップは、返血ラインを開くステップであり、請求項に記載の「第４ステップ」に相当する。
【０１３１】
ここで、図６は、本実施の形態に係る血液浄化回路のプライミング時の状態のうち、状態１を示す図である。図６において、回路構成中にハッチングが施されている部分は、液体が充填されていること、すなわちプライミングされた部分を示す。また、ハッチングが施されていない部分は、液体が未だ充填されていないこと、すなわちプライミングされていない部分を示す。また、図６において、ハッチングが施されているバルブは閉じた状態であることを示し、ハッチングが施されていないバルブは開いた状態であることを示す。
【０１３２】
回路およびバルブに施されているハッチングは、図７から図１５までについても、同様の状態を示す。そのため、各図でのこれらのハッチングに関する説明は省略する。
【０１３３】
さらに、図６においては、すべてのポンプにハッチングが施されていない。これは、すべてのポンプが停止していることを示す。図７から図１５までについても、同様に、停止しているポンプにはハッチングが施されておらず、稼動しているポンプにはハッチングが施されている。ポンプのハッチングに関してはここで説明したため、各図での説明は省略する。
【０１３４】
ここから、図４に戻る。
【０１３５】
制御部４９は、透析ポンプ２２を稼動させる（Ｓ２）。これにより、血液浄化回路の状態は、図５に示す状態２となり、第２給液ライン７４と、透析液ライン７６と、ろ過器５６の外側（給液回路を構成する部分）とに液体が充填される。具体的な血液浄化回路の状態は、図７に示す状態になる。このように、透析ポンプ２２を稼動させるステップは、ろ過器５６の透析液流入口からプライミング液を送り込むステップであり、請求項に記載の「第６ステップ」に相当する。
【０１３６】
制御部４９は、ろ液ポンプ２４を稼動させる（Ｓ３）。これにより、血液浄化回路の状態は、図５に示す状態３となり、ろ液ライン７８に液体が充填される。具体的な血液浄化回路の状態は、図８に示す状態になる。このように、ろ液ポンプ２４を稼動させるステップは、図５に示すようにろ過器５６の透析回路部分にプライミング液が充填された後に、ろ過器５６の透析液排出口からプライミング液を吸い出すステップであり、請求項に記載の「第７ステップ」に相当する。
【０１３７】
制御部４９は、透析ポンプ２２とろ液ポンプ２４を停止させ、補液ポンプ２６を稼動させ、給液バルブ３０を閉める（Ｓ４）。これにより、血液浄化回路の状態は、図５に示す状態４となり、補液ライン８２に液体が充填される。具体的な血液浄化回路の状態は、図９に示す状態になる。このように、補液ポンプ２６を稼動させるステップは、請求項に記載の「第２ステップ」に相当する。
【０１３８】
以上で、ろ液パック５４を除く、給液回路にプライミング液が充填される。続けて、血液回路のプライミングが開始される。
【０１３９】
補液ライン８２に液体が充填され、返血チャンバ５８の給液の流入口にまで液体が到達すると、制御部４９は、プライミング液排出バルブ３６を開く（Ｓ５）。これにより、血液浄化回路の状態は、図５に示す状態５となり、第２返血ライン９４と、第２循環ライン９８と、リサーキュレーション・チャンバ６０と、第１循環ライン９６と、第１脱血ライン８４と、プライミング液排出（急速補液）ライン８６とに液体が充填される。具体的な血液浄化回路の状態は、図１０に示す状態になる。ここで、返血チャンバ５８には順方向に液体が流れるため、この時点で返血チャンバ５８に液体が流れ込むものの、十分なプライミングはされない。
【０１４０】
制御部４９は、血液ポンプ２０を血液浄化時とは逆方向に稼動させ、返血バルブ３４を閉める（Ｓ６）。これにより、血液浄化回路の状態は、図５に示す状態６となり、返血チャンバ５８と、第１返血ライン９２と、ろ過器５６の内側（血液回路を構成する部分）と、第３脱血ライン８９と、第２脱血ライン８８とに液体が充填される。具体的な血液浄化回路の状態は、図１１に示す状態になる。
【０１４１】
このように、返血バルブ３４を閉めるステップは、返血ラインを閉じるステップであり、請求項に記載の「第１ステップ」に相当する。また、血液ポンプ２０を血液浄化時とは逆方向に稼動させるステップは、ろ過器５６に送り込まれたプライミング液を前記脱血ラインに吸い出すステップであり、請求項に記載の「第３ステップ」に相当する。
【０１４２】
図１１に示すように、返血チャンバ５８の返血口に接続されているラインである第２返血ライン９４の途中に設けられている返血バルブ３４を閉じることにより、返血チャンバ５８内に液体を逆方向に流すことが可能となる。また、このように設けられている返血バルブ３４を閉じることにより、ろ過器５６の内側に液体を逆方向に流すことが可能となる。
【０１４３】
また、血液ポンプ２０は第３脱血ライン８９の流量を調整し、補液ポンプ２６は第１返血ライン９２の流量を調整する。このように２つのポンプによってろ過器５６の内側（血液回路部分）にかかる圧力を調整するため、ろ過器５６の内側にプライミング液を確実に充填することが可能になる。
【０１４４】
ここから、図４の説明に戻る。
【０１４５】
廃液タンク１０２に液体が廃棄された後に、制御部４９は、血液ポンプ２０を停止させる（Ｓ７）。これにより、血液浄化回路の状態は、図５に示す状態７となり、抗凝固剤（バイパス）ライン９０に液体が充填される。具体的な血液浄化回路の状態は、図１２に示す状態になる。
【０１４６】
以上で、血液回路のすべてにプライミング液が充填される。続けて、給液回路の中で、プライミングが未完了であるろ液パック５４のプライミングを開始する。
【０１４７】
制御部４９は、補液ポンプ２６を停止させ、透析ポンプ２２とろ液ポンプ２４を稼動させ、返血バルブ３４を開き、プライミング液排出バルブ３６を閉める（Ｓ８）。これにより、血液浄化回路の状態は、図１３に示す状態８となり、ろ液パック５４に液体が蓄積される。このように、ろ液ポンプ２４を稼動させるステップは、ろ過器５６の透析液返血口から吸い出されたプライミング液をろ液パック５４に送り込むステップであり、請求項に記載の「第８ステップ」に相当する。
【０１４８】
以上で、血液浄化回路のすべてにプライミング液が充填される。
【０１４９】
制御部４９は、透析ポンプ２２とろ液ポンプ２４を停止させ、ろ液バルブ３２を開く（Ｓ９）。これにより、血液浄化回路の状態は、図１４に示す状態９となり、ろ液パック５４に蓄積された液体の一部が廃液ライン８０を介して廃液タンク１００に廃棄される。このように、ろ液バルブ３２を開くステップは、請求項に記載の「第９ステップ」に相当する。
【０１５０】
施術時の血液浄化制御装置１０は、第２給液パック重量とろ液パック５４の重量とにより、浄化された血液の量を測定する。このように、ろ液パック５４の液体の一部を廃棄することにより、第２給液パック５２の重量とろ液パック５４の重量とのバランスが調整されるため、施術中のより正確な血液浄化量の計測が可能となる。
【０１５１】
このように、本実施の形態の血液浄化回路では、血液回路および循環回路だけでなく、給液回路にも一連の手順において、プライミング液を充填させることができる。さらに、一連の手順において、自動的に、第２給液パック５２の重量とろ液パック５４の重量とのバランスが調整されるため、施術の準備のために操作者に要求される操作の負担をかけることなく、安全な施術のための準備をすることが可能となる。
【０１５２】
制御部４９は、血液ポンプ２０を稼動させる（Ｓ１０）。これにより、血液回路内をプライミング液を循環させることにより、回路内に残存している空気を除くリサーキュレーションが行われる。図１５は、リサーキュレーション時の、本実施の形態に係る血液回路内のプライミング液の流れを示す図である。図１５に示すように、本実施の形態に係る血液回路内をプライミング液が循環することにより、回路内に残存している空気は、リサーキュレーション・チャンバ６０にトラップされる。このような、リサーキュレーションは施術開始まで継続される。このように、リサーキュレーションは、環状である回路にプライミング液を循環させるステップであり、請求項に記載の「第５ステップ」に相当する。
【０１５３】
本発明の血液浄化回路は、プライミングする際に血液回路を循環構造とするための循環回路に、リサーキュレーション・チャンバを備える。このような血液浄化回路を取り付けた状態で、リサーキュレーション、すなわち、血液回路内にプライミング液を循環させることにより、プライミング後になお血液回路内に残存している空気をリサーキュレーション・チャンバにおいて捕捉し、収集することができる。そして、リサーキュレーション・チャンバを含む循環回路は、施術時には血液回路から取り外され廃棄されるため、リサーキュレーション・チャンバに収集された空気は、循環回路とともに廃棄される。したがって、循環回路にリサーキュレーション・チャンバを設けるだけで、プライミングおよび施術という血液浄化に関連する一連の作業手順に、新たな手順を追加することなく、血液回路に残存している空気を除去することができる。したがって、操作者に負担をかけることなく、血液回路中の空気の除去をより確実にすることが可能となる。
【０１５４】
以上、本発明の一実施の形態について説明したが、本発明はこれに限定されるものではない。
【０１５５】
例えば、実施の形態では、バイパスラインである抗凝固剤（バイパス）ライン９０は、ろ過器５６にかかる圧力を低減させるため、脱血ラインを流れるプライミング液の圧力および前記返血ラインを流れるプライミング液の圧力の差を低減させるラインの一例として、ろ過器５６の血液流入口側と血液ポンプ２０との間に位置する抗凝固分岐管６６と、リサーキュレーション・チャンバ６０の排出口とをつなぐこととした。
【０１５６】
ろ過器５６にかかる圧力を低減させるには、バイパスラインの一端が、脱血ライン、循環ラインおよび返血ラインのいずれかに結合し、血液ポンプ２０および補液ポンプ２６によってろ過器５６にかかる圧力を他のラインに逃がせばよい。
【０１５７】
すなわち、脱血ラインを流れるプライミング液の圧力および前記返血ラインを流れるプライミング液の圧力の差を低減させるラインとは、一端が、血液ポンプ取付部とろ過器５６の血液流入口との間、ろ過器５６の血液排出口と返血バルブ取付部との間（返血チャンバ５８を含む）、補液ポンプ２６と返血チャンバ５８との間に接続し、他端が、それ以外の血液回路に接続していればよい。
【０１５８】
より具体的には、第１に、バイパスラインの一端が、血液ポンプ取付部とろ過器５６の血液流入口との間に接続する場合に、他端が、血液ポンプ取付部と脱血側継ぎ手６８ａとの間に接続し、他端が、循環ラインに接続し、返血バルブ取付部と返血側継ぎ手７０ａとの間に接続し、または、プライミング液排出（急速補液）ライン８６に接続する場合がある。本発明の実施の形態は、この場合に、他端が、循環ラインに接続する一例である。
【０１５９】
第２に、バイパスラインの一端が、ろ過器５６の血液排出口と返血バルブ取付部との間（返血チャンバ５８を含む）に接続し、他端が、血液ポンプ取付部と脱血側継ぎ手６８ａとの間に接続し、他端が、循環ラインに接続し、返血バルブ取付部と返血側継ぎ手７０ａとの間、または、プライミング液排出（急速補液）ライン８６に接続する場合がある。
【０１６０】
例えば、図１６は、本発明の一変形例に係る血液浄化回路の構成を示す図であり、図１６に示す抗凝固剤（バイパス）ライン１０６は、返血チャンバ５８の流入口と、第１脱血ライン８４とをつなぐ。本変形例は、第２の場合に、他端が、血液ポンプ取付部と脱血側継ぎ手６８ａとの間に接続する一例である。
【０１６１】
第３に、バイパスラインの一端が、補液ポンプ２６と返血チャンバ５８との間に接続し、他端が、血液ポンプ取付部と脱血側継ぎ手６８ａとの間に接続し、他端が、循環ラインに接続し、返血バルブ取付部と返血側継ぎ手７０ａとの間に接続し、または、プライミング液排出（急速補液）ライン８６に接続する場合がある。
【０１６２】
このようなバイパスラインは、施術中に抗凝固剤を投入するためのラインとして転用できるため、抗凝固剤の投入にふさわしい箇所を、その一端に選択すればよい。このような回路構成によっても、プライミング液を蓄えたパックを施術時に着脱することなく、一連の制御により、プライミングを自動的に実行することが可能である。
【産業上の利用可能性】
【０１６３】
本発明は、患者の血液を浄化するための準備であるプライミングを自動実行する血液浄化制御装置に適用できる。また、プライミングが完了してから患者に施術されるまでの間に、血液回路をプライミング液を循環させるリサーキュレーションを実行する血液浄化制御装置に適用できる。
【図面の簡単な説明】
【０１６４】
【図１】本発明の一実施の形態に係る血液浄化制御装置の構成を示すブロック図である。
【図２】本発明の一実施の形態に係るプライミング時の血液浄化回路の構成と、血液浄化制御装置のポンプ、バルブおよび圧力センサの位置関係を示す図である。
【図３】本発明の一実施の形態に係るプライミング時の血液浄化回路の構成と、血液浄化制御装置のポンプ、バルブおよび圧力センサの位置関係を、簡略化して示す図である。
【図４】本実施の形態において、自動プライミングモードが選択された場合に、血液浄化制御装置１０が実行する自動プライミングの手順を示す図である。
【図５】本実施の形態のプライミング時の各手順での回路の状態をまとめて示す図である。
【図６】本実施の形態に係る血液浄化回路のプライミング時の状態のうち、状態１を示す図である。
【図７】本実施の形態に係る血液浄化回路のプライミング時の状態のうち、状態２を示す図である。
【図８】本実施の形態に係る血液浄化回路のプライミング時の状態のうち、状態３を示す図である。
【図９】本実施の形態に係る血液浄化回路のプライミング時の状態のうち、状態４を示す図である。
【図１０】本実施の形態に係る血液浄化回路のプライミング時の状態のうち、状態５を示す図である。
【図１１】本実施の形態に係る血液浄化回路のプライミング時の状態のうち、状態６を示す図である。
【図１２】本実施の形態に係る血液浄化回路のプライミング時の状態のうち、状態７を示す図である。
【図１３】本実施の形態に係る血液浄化回路のプライミング時の状態のうち、状態８を示す図である。
【図１４】本実施の形態に係る血液浄化回路のプライミング時の状態のうち、状態９を示す図である。
【図１５】リサーキュレーション時の、本実施の形態に係る血液回路内のプライミング液の流れを示す図である。
【図１６】本発明の一変形例に係るプライミング時の血液浄化回路の構成と、血液浄化制御装置のポンプ、バルブおよび圧力センサの位置関係を、簡略化して示す図である。
【符号の説明】
【０１６５】
１０  血液浄化制御装置
１２  入力部
１４  表示部
１６  モード受付部
２０  血液ポンプ
２２  透析ポンプ
２４  ろ液ポンプ
２６  補液ポンプ
３０  給液バルブ
３２  ろ液バルブ
３４  返血バルブ
３６  プライミング液排出バルブ
４０  ろ液圧センサ
４２  脱血圧センサ
４４  流入圧センサ
４６  排出圧センサ
４８  制御方法記憶部
４９  制御部
５０  第１給液パック
５２  第２給液パック
５４  ろ液パック
５６  ろ過器
５８  返血チャンバ
６０  リサーキュレーション・チャンバ
６２  給液分岐管
６４  急速補液分岐管
６６  抗凝固分岐管
６８ａ、６８ｂ  脱血側継ぎ手
７０ａ、７０ｂ  返血側継ぎ手
７２  第１給液ライン
７４  第２給液ライン
７６  透析液ライン
７８  ろ液ライン
８０  廃液ライン
８２  補液ライン
８４  第１脱血ライン
８６  プライミング液排出（急速補液）ライン
８８  第２脱血ライン
８９  第３脱血ライン
９０  抗凝固剤（バイパス）ライン
９２  第１返血ライン
９４  第２返血ライン
９６  第１循環ライン
９８  第２循環ライン
１００、１０２  廃液タンク
【図１】
2008246081.tif 000003
【図２】
2008246081.tif 000004
【図３】
2008246081.tif 000005
【図４】
2008246081.tif 000006
【図５】
2008246081.tif 000007
【図６】
2008246081.tif 000008
【図７】
2008246081.tif 000009
【図８】
2008246081.tif 000010
【図９】
2008246081.tif 000011
【図１０】
2008246081.tif 000012
【図１１】
2008246081.tif 000013
【図１２】
2008246081.tif 000014
【図１３】
2008246081.tif 000015
【図１４】
2008246081.tif 000016
【図１５】
2008246081.tif 000017
【図１６】
2008246081.tif 000018